(57)【要約】【課題】  鍵盤楽器の複数の黒鍵を視認させる鍵視認装置において、黒鍵を視認し易くする。【解決手段】  鍵視認装置は、視認させる黒鍵に隣接した白鍵における黒鍵周りの上面部を発光させる発光手段（１２，１３）を備えている。黒鍵を視認させるために発光させる前記白鍵における黒鍵周りの上面部は、例えば、黒鍵の前端よりも前方部分及び黒鍵の前端部の左右両側部分である。発光手段は、例えば、発光器（レーザー光出射器１２）と、発光器から発せられた光を透過させて、視認させる黒鍵に隣接した白鍵における黒鍵周りの上面部を発光させる光透過器（透過型液晶装置１３）とからなる。【選択図】  図２
2017173729.tif 000002
【特許請求の範囲】
【請求項１】
鍵盤楽器の複数の黒鍵を視認させる鍵視認装置において、
視認させる黒鍵に隣接した白鍵における黒鍵周りの上面部を発光させる発光手段を備えたことを特徴とする鍵視認装置。
【請求項２】
黒鍵を視認させるために発光させる前記白鍵における黒鍵周りの上面部は、黒鍵の前端よりも前方部分及び黒鍵の前端部の左右両側部分である請求項１に記載した鍵視認装置。
【請求項３】
請求項１又は２に記載した鍵視認装置において、
前記発光手段を、
光を発する発光器と、
前記発光器から発せられた光を透過させて、視認させる黒鍵に隣接した白鍵における黒鍵周りの上面部を発光させる光透過器とで構成した鍵視認装置。
【請求項４】
請求項３に記載した鍵視認装置において、
前記発光器を、左右方向に大きな角度で広がり、かつ前後方向に小さな角度で広がるレーザー光を出射するレーザー光出射器で構成し、
前記光透過器を、レーザー光の透過及び非透過が電気制御され、前記レーザー光の一部を選択的に透過させて白鍵の上面部にレーザー光を照射する複数の透過型液晶セグメントを組み込んだプレート部材で構成し、
前記プレート部材を透過したレーザー光を視認させる黒鍵に隣接した白鍵における黒鍵周りの上面部に照射するようにし、さらに、
前記レーザー光源及び前記プレート部材をケース内に組み込むようにしたことを特徴とする鍵視認装置。
【請求項５】
請求項３に記載した光視認装置において、さらに、
黒鍵の前端部を侵入させる凹部を有して白鍵の上面に載置される長尺状かつ薄板状に構成された電気回路基板を備え、
前記発光器を、前記電気回路基板上に複数の黒鍵にそれぞれ対応して組み付けられ、発光及び非発光がそれぞれ電気制御される複数の発光素子で構成し、
前記光透過器を、黒鍵の前端部を侵入させる凹部を有して前記電気回路基板上に一体的に組み付けられた長尺状かつ薄板状の透過部材であって、前記複数の発光素子からの光をそれぞれ独立に透過させて白鍵の上面部上に出射する複数の透過窓を有する透過部材で構成し、
前記透過窓を透過したレーザー光を視認させる黒鍵に隣接した白鍵における黒鍵周りの上面部上に出射するようにしたことを特徴とする光視認装置。
【請求項６】
請求項１乃至５のうちのいずれか一つに記載した鍵視認装置において、さらに、
白鍵の視認用に白鍵を発光させる白鍵用発光手段を備え、
白鍵を発光させる光の色と、黒鍵を発光させる光の色とを異ならせたことを特徴とする光視認装置。
【発明の詳細な説明】
【技術分野】
【０００１】
本発明は、電子ピアノ、電子オルガン、シンセサイザ、ピアノなどの鍵盤楽器に適用されて、鍵盤楽器の複数の白鍵及び黒鍵をそれぞれ視認させる鍵視認装置に関する。
【背景技術】
【０００２】
従来から、押鍵すべき鍵を視認させるために、白鍵及び黒鍵に光を照射するようにした光照射装置はよく知られている。例えば、下記特許文献１には、鍵盤の後部上方に、複数の白鍵及び黒鍵にそれぞれ対応した複数のＬＥＤを設けて、白鍵及び黒鍵の上面部に上方から光を照射する光照射装置が示されている。また、下記引用文献１には、鍵盤の後部上方に一つのレーザー光源を設け、ミラー、電磁アクチュエータなどを備えた駆動部により、レーザー光源からのレーザービームの照射方向を移動させて、白鍵及び黒鍵の上面部に上方からレーザー光を照射する光照射装置も示されている。
【０００３】
また、下記引用文献２には、白鍵及び黒鍵を光透過部材で構成しておき、白鍵及び黒鍵の下方に、複数の白鍵及び黒鍵にそれぞれ対応した複数のＬＥＤを設け、白鍵及び黒鍵の上面部に下方から光を照射する光照射装置が示されている。
【先行技術文献】
【特許文献】
【０００４】
【特許文献１】特開２０００−２５０５５２号公報
【特許文献２】特開２００３−６６９６４号公報
【発明の概要】
【０００５】
上記特許文献１に示されたＬＥＤ又はレーザー光源を用いて白鍵及び黒鍵の上面部に光を照射する光照射装置においては、黒鍵の上面部は黒色であるために黒鍵の上面部に照射された光が見難く、白鍵の上面部の上面に照射された光は視認し易いが、黒鍵の上面部の上面に照射された光は視認し難いと問題があった。また、上記特許文献２に示されたＬＥＤを用いて白鍵及び黒鍵の上面部に下方から光を照射する光照射装置においては、黒鍵における光の透過率は白鍵における光の透過率に比べて低く、白鍵の上面部に下方から照射された光は視認し易いが、黒鍵の上面部に下方から照射された光は視認し難いと問題があった。このようにいずれの場合も、黒鍵では白鍵に比べて照射される光の視認がし難いという問題があった。
【０００６】
本発明は、このような問題に対処するためになされたもので、その目的は、黒鍵を視認し易くした鍵視認装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明の特徴は、鍵盤楽器の複数の黒鍵（２１ｂ）を視認させる鍵視認装置において、視認させる黒鍵に隣接した白鍵（２１ｗ）における黒鍵周りの上面部を発光させる発光手段（１２，１２Ｂ，１３，１３Ｂ，６１，６３ｂ）を備えたことにある。この場合、黒鍵を視認させるために発光させる前記白鍵における黒鍵周りの上面部は、例えば、黒鍵の前端よりも前方部分及び黒鍵の前端部の左右両側部分である。また、前記発光手段は、例えば、光を発する発光器（１２，１２Ｂ，６３ｂ）と、発光器から発せられた光を透過させて、視認させる黒鍵に隣接した白鍵における黒鍵周りの上面部を発光させる光透過器（１３，１３Ｂ，６１）とで構成されている。
【０００８】
前記本発明の特徴によれば、黒鍵を視認させるために、発光手段により、視認させる黒鍵に隣接した白鍵における黒鍵周りの上面部が発光される。したがって、黒鍵の視認がし易くなる。
【０００９】
また、本発明の他の特徴は、前記発光器を、左右方向に大きな角度で広がり、かつ前後方向に小さな角度で広がるレーザー光を出射するレーザー光出射器（１２，１２Ｂ）で構成し、前記光透過器（１３，１３Ｂ）を、レーザー光の透過及び非透過が電気制御され、レーザー光の一部を選択的に透過させて白鍵の上面部にレーザー光を照射する複数の透過型液晶セグメント（１３ｃ）を組み込んだプレート部材（１３ａ）で構成し、プレート部材を透過したレーザー光を視認させる黒鍵に隣接した白鍵における黒鍵周りの上面部に照射するようにし、さらに、レーザー光源及びプレート部材をケース（１１）内に組み込むようにしたことにある。この場合、光透過器は、白鍵の上面部に上方から光を照射するようにしてもよいし、白鍵の上面部に下方から光を照射するようにしてもよい。
【００１０】
これによれば、発光器を複数の発光素子で構成する必要がなくなり、ケース内に組み込まれたレーザー光源及び光透過器で構成された光視認装置を、シンプルかつコンパクトに構成できる。
【００１１】
また、本発明の他の特徴は、黒鍵の前端部を侵入させる凹部を有して白鍵の上面に載置される長尺状かつ薄板状に構成された電気回路基板（６２）を備え、前記発光器を、電気回路基板上に複数の黒鍵にそれぞれ対応して組み付けられ、発光及び非発光がそれぞれ電気制御される複数の発光素子（６３ｂ）で構成し、前記光透過器を、黒鍵の前端部を侵入させる凹部を有して前記電気回路基板上に一体的に組み付けられた長尺状かつ薄板状の透過部材であって、複数の発光素子からの光をそれぞれ独立に透過させて白鍵の上面部上に出射する複数の透過窓（６１ｃ）を有する透過部材（６１）で構成し、透過窓を透過したレーザー光を視認させる黒鍵に隣接した白鍵における黒鍵周りの上面部上に出射するようにしたことにある。
【００１２】
これによれば、光視認装置を鍵盤楽器の白鍵及び黒鍵上に載置するだけでよく、光視認装置を鍵盤楽器内に組み込む手間を省くことができるとともに、電気回路を有さない自然楽器であるピアノにも簡単に適用でき、製作及び利用の点で有利である。また、光視認装置は、複数の発光素子を組み付けた電気回路基板及び複数の透過窓を有する薄板状の透過部材で構成されるので、構成が複雑になることもなく、小型で持ち運びにも便利である。
【００１３】
また、本発明の他の特徴は、白鍵の視認用に白鍵を発光させる白鍵用発光手段を備え、白鍵を発光させる光の色と、黒鍵を発光させる光の色とを異ならせたことにある。
【００１４】
これによれば、白鍵の上面部上に出射される光の色が、白鍵視認用と黒鍵視認用とで異なるので、白鍵と黒鍵とをより簡単に区別して視認できるようになる。
【図面の簡単な説明】
【００１５】
【図１】本発明の第１実施形態に係り、本発明の鍵視認装置としての光照射装置を電子ピアノの上方に配置した状態を概略的に示す正面図である。
【図２】（Ａ）は前記光照射装置を正面側から見た縦断面図であり、（Ｂ）は前記光照射装置を右側から見た縦断面図である。
【図３】前記光照射装置内に組み込まれた透過型液晶装置の概略平面図である。
【図４】（Ａ）は前記透過型液晶装置の１オクターブ分を示す拡大平面図であり、（Ｂ）は前記透過型液晶装置による光照射位置を示す１オクターブ分の鍵盤の平面図である。
【図５】前記光照射装置を制御する光照射制御ユニット内に設けた電気回路の概略ブロック図である。
【図６】前記第１実施形態の変形例に係る光照射装置を右側から見た縦断面図である。
【図７】（Ａ）は前記第１実施形態の変形例に係る透過型液晶装置による光照射領域を示す１オクターブ分の鍵盤の平面図であり、（Ｂ）は前記第１実施形態の他の変形例に係る透過型液晶装置による光照射領域を示す１オクターブ分の鍵盤の平面図である。
【図８】（Ａ）は本発明の第２実施形態に係り、本発明の鍵視認装置としてのガイドランプシート装置の平面図であり、（Ｂ）は前記ガイドランプシート装置を白鍵上に載置した状態を示す平面図である。
【図９】（Ａ）は図８（Ａ）の２点鎖線ＩＸで囲んだ部分の拡大図であり、（Ｂ）は（Ａ）のｂ−ｂ線に沿って見た断面図であり、（Ｃ）は（Ａ）のｃ−ｃ線に沿って見た断面図である。
【発明を実施するための形態】
【００１６】
ａ．第1実施形態
以下、本発明の第１実施形態に係る鍵視認装置について図面を用いて説明する。この鍵視認装置は、押鍵すべき白鍵２１ｗ及び黒鍵２１ｂを視認させるために、白鍵２１ｗの上面部に光を照射する光照射装置１０を用いている。図１は、光照射装置１０を電子ピアノ２０の上方に配置した状態を概略的に示す正面図である。光照射装置１０は、電子ピアノ２０の上方に支持装置３０によって支持されている。なお、本願の説明においては、図１の上下方向を上下方向とし、左右方向を左右方向とし、図１の紙面正面側を前方とし、かつ紙面裏面側を後方とする。
【００１７】
支持装置３０は、パイプで構成した左右一対の支柱３１，３２を有する。支柱３１，３２は、それらの下端を電子ピアノ２０の左右両側に位置させて、電子ピアノ２０が置かれた面上（例えば、床面上）に垂直に立設されている。支柱３１，３２の上部両端には、左右方向に延設された円筒状の支持パイプ３３が、その両端部にて、上下方向の位置調整を可能に固定されている。光照射装置１０は、支持パイプ３３の左右方向の中央付近に固定されている。支持パイプ３３に対する光照射装置１０の固定方法としては、種々の方法が採用され得る。例えば、環状部に支持パイプ３３を貫通させて、ねじ３４ａにより支持パイプ３３の外周面上に固定される固定部材３４を用いる。固定部材３４には、その環状部の外周面から前方に突出した平板部を設けておく。そして、固定部材３４の平板部の下面に光照射装置１０の上面を当接させて、ねじ３４ｂにより、光照射装置１０を固定部材３４に固定支持させる。なお、光照射装置１０の外形状は、詳しくは後述するように、直方体状である。
【００１８】
光照射装置１０は、上方から下方に向けて左右方向に広がる図１の破線Ｌ１，Ｌ２で示す範囲内でレーザー光を出射可能とし、電子ピアノ２０の白鍵２１ｗの上面にレーザー光をそれぞれ照射可能としている。このレーザー光の白鍵２１ｗへの照射位置については詳しく後述する。図１における実線Ｌ３は、白鍵２１ｗの上面に照射されるレーザー光の進行方向の一つを示している。破線Ｌ１は鍵盤における最低音である白鍵２１ｗの上面に照射されるレーザー光に対応し、破線Ｌ２は鍵盤における最高音である白鍵２１ｗの上面に照射されるレーザー光に対応する。なお、この破線Ｌ１，Ｌ２と最低音及び最高音である白鍵２１ｗとが対応しない場合には、支持パイプ３３の支柱３１，３２に対する固定位置を上下に変更したり、光照射装置１０の左右位置を変更するなどにより、対応するように調整する。
【００１９】
支柱３２には、白鍵２１ｗにレーザー光を照射させるために、光照射装置１０を制御する光照射制御ユニット４０が組み付けられている。この光照射制御ユニット４０は、直方体状のケース４１を有し、ケース４１は支柱３２の上下中間部の外周面上に着脱可能に組み付けられている。なお、光照射制御ユニット４０については、詳しく後述する。
【００２０】
次に、光照射装置１０について詳しく説明する。光照射装置１０は、図２（Ａ）の正面側から見た縦断面図及び図２（Ｂ）の右側から見た縦断面図で示すように、樹脂により形成された直方体状のケース１１を有する。ケース１１は、左右方向幅が大きくかつ前後方向幅が小さく構成されており、上面を開口させて内部に方形状の空間を形成する直方体状の下部分１１ａと、下部分１１ａの上面に固着される上部分１１ｂとを有する。下部分１１ａは、各側面の下端に内側に突出した突出部１１ａ１を有し、下部分１１ａの下面には左右方向に長い長方形状の開口部１１ａ２が設けられている。
【００２１】
上部分１１ｂは、下部分１１ａの上端開口部を覆う長方形状の平板部の中央位置から下方に延設された円筒部１１ｂ１を有する。円筒部１１ｂ１の上面は上方に開口しており、その下端には内側に若干量だけ環状に突出した突出部１１ｂ２が設けられて、円筒部１１ｂ１の下面には円形の開口部１１ｂ３が設けられている。
【００２２】
このケース１１には、レーザー光出射器１２及び透過型液晶装置１３が組み付けられている。レーザー光出射器１２は、円筒状のケースを備え、ケース１１の円筒部１１ｂ１内に上方から差し込まれて、突出部１１ｂ２上に載置されている。レーザー光出射器１２は、その下端から開口部１１ｂ３を介して左右方向に所定の大きな角度で広がり、かつ前後方向に所定の小さな角度で広がるレーザー光ＬＬを下方に向けて出射する。
【００２３】
このレーザー光出射器１２は、ケース内に組み込まれたレーザー光源１２ａ、コリメータレンズ１２ｂ及び光学素子１２ｃを備えている。レーザー光源１２ａは、円錐状に広がるレーザー光を下方に向けて出射する。コリメータレンズ１２ｂは、レーザー光源１２ａから出射されたレーザー光を平行光に変換する。光学素子１２ｃは、シリンドリカルレンズ、ロッドレンズ、パウエルガラス、プリズムなどで構成され、前記平行光に変換されたレーザー光を左右方向（横方向）に前記所定の大きな角度で広がり、かつ前後方向に前記所定の小さな角度で広がるレーザー光ＬＬに変換する。これにより、光学素子１２ｃからは、水平面上の形状を前後方向の幅が狭くかつ左右方向の幅が極めて広い長方形状とするレーザー光ＬＬが出射される。この第１実施形態では、レーザー光源１２ａは、緑のレーザー光を出射するが、緑色でなく、赤色、黄色などの他の色のレーザー光を出射するようにしてもよい。また、レーザー光出射器１２のケースには、レーザー光源１２ａを駆動するための電気配線１２ｄが外部から侵入している。
【００２４】
透過型液晶装置１３は、図２の断面図及び図３の平面図に示すように、左右方向に長い平面形状を長方形とする薄肉の平板状に、非透光性のガラス材料で形成されたプレート部材１３ａを有し、ケース１１の突出部１１ａ１の上面に載置されて、接着材などにより固定されている。プレート部材１３ａの前後方向の中心より前部分には、白鍵２１ｗの数に等しい数の白鍵２１ｗ用の透過型液晶セグメント（透過型液晶素子）１３ｂが、左右方向に一列に配置されて、プレート部材１３ａをそれぞれ貫通するようにプレート部材１３ａに一体的に組み込まれている。プレート部材１３ａの前後方向の中心より後部分には、黒鍵２１ｂの数に等しい数の黒鍵２１ｂ用の透過型液晶セグメント（透過型液晶素子）１３ｃが、左右方向に一列に配置されて、プレート部材１３ａをそれぞれ貫通するようにプレート部材１３ａに一体的に組み込まれている。そして、全ての透過型液晶セグメント１３ｂ，１３ｃには、レーザー光出射器１２からの平面形状を長方形状とするレーザー光ＬＬが照射されている。
【００２５】
これら透過型液晶セグメント１３ｂ，１３ｃは、電気制御信号により制御されて、レーザー光を透過させ又は透過させない液晶素子である。そして、プレート部材１３ａ及び電圧の印加されていない透過型液晶セグメント１３ｂ，１３ｃは、照射されているレーザー光ＬＬを透過させない。一方、電圧が印加されている透過型液晶セグメント１３ｂ，１３ｃは、照射されているレーザー光ＬＬを透過させる。この透過型液晶セグメント１３ｂ，１３ｃを透過したレーザー光は、ケース１１の開口部１１ａ２を介して、白鍵２１ｗの上面に照射される。
【００２６】
ここで、複数の透過型液晶セグメント１３ｂの形状及び白鍵２１ｗへのレーザー光の照射位置について、図４（Ａ）を用いて詳しく説明しておく。白鍵２１ｗ用の透過型液晶セグメント１３ｂは、平面視で方形状（正方形状又は長方形状）であり、水平面内にて方形状のレーザー光を下方に向けて広げながら出射する。レーザー光の左右方向の中心位置は白鍵２１ｗの上面部の左右方向の中央位置に対応し、レーザー光の前後方向の中心位置は黒鍵２１ｂの前端よりもある程度の距離を隔てた白鍵２１ｗの上面前部（幅広部）に対応する。これにより、図４（Ｂ）で照射領域ＬＡｗとして示すように、白鍵２１ｗ用のレーザー光は、白鍵２１ｗの上面前部において、白鍵２１ｗの左右方向の中央部分に照射される。なお、白鍵２１ｗ及び黒鍵２１ｂは、下方を開放させた断面コ字状（略Ｕ字状）に一体形成され、上面部は略水平方向に延設されている。
【００２７】
黒鍵２１ｂ用の透過型液晶セグメント１３ｃは、横方向に延びた横直線部分と、横直線部分の両端から後方に直角に延びた一対の縦直線部分とを有する平面視でコ字状（略Ｕ字状）であり、水平面上でコ字状のレーザー光を下方に向けて広げながら出射する。一対の縦直線部分は、それらの左右方向の位置を黒鍵２１ｂの左右方向の両外側位置に対応させて、それらの左右方向の中心位置を黒鍵２１ｂの左右方向の中心位置に対応させている。一対の縦直線部分の前端位置（すなわち横直線部分の前後方向の位置）は、黒鍵２１ｂの前方における白鍵２１ｗの幅広部の上端位置に対応している。一対の縦直線部分の後端位置は、黒鍵２１ｂの前端よりも所定距離だけ後方の位置に対応している。これにより、図４（Ｂ）で照射領域ＬＡｂとして示すように、黒鍵２１ｂ用のレーザー光は、黒鍵２１ｂの前端部周りにおける白鍵２１ｗの上面部に上方から照射される。すなわち、黒鍵２１ｂ用のレーザー光は、黒鍵２１ｂを挟んで隣接した白鍵２１ｗにおける黒鍵２１ｂの前端部周りの上面部、具体的には、前記白鍵２１ｗにおける黒鍵２１ｂの前端よりも前方部分及び黒鍵２１ｂの前端部の左右両側部分に照射される。
【００２８】
また、ケース１１内には、液晶制御回路ユニット１６が組み込まれている。液晶制御回路ユニット１６は、透過型液晶装置１３の透過型液晶セグメント１３ｂ，１３ｃを非透過状態又は透過状態に制御するために、透過型液晶セグメント１３ｂ，１３ｃに対して電気制御信号を出力する電気回路装置を備えている。この液晶制御回路ユニット１６には、外部からケース１１に侵入させた図示しない電気配線が接続されている。
【００２９】
次に、光照射制御ユニット４０について、図５を用いて説明する。光照射制御ユニット４０のケース４１の外面には、操作子４２及び表示器４３が設けられている。操作子４２は、利用者によって操作されるもので、光照射装置１０による白鍵２１ｗ及び黒鍵２１ｂへのレーザー光の照射モードの選択、レーザー光の出射開始の指示などに使用される。表示器４３は、前記照射モードの選択状態、選択方法などの各種情報を表示する。
【００３０】
ケース４１内には、操作子検出回路４４、表示制御回路４５、駆動回路４６及び鍵表示信号出力回路４７を構成する電気回路装置が設けられている。操作子検出回路４４は、操作子４２の操作を検出する。表示制御回路４５は、表示器４３の表示を制御する。駆動回路４６は、レーザー光出射器１２に対して、レーザー光源１２ａを駆動するための駆動信号を出力する。鍵表示信号出力回路４７は、レーザー光を照射すべき白鍵２１ｗ又は黒鍵２１ｂを指定する制御信号であって、透過型液晶装置１３の透過型液晶セグメント１３ｂ，１３ｃの非透過状態と透過状態を選択的に切換えるための制御信号を液晶制御回路ユニット１６に出力する。これらの駆動信号及び制御信号は、図示省略した電気配線により光照射装置１０に供給される。
【００３１】
これらの操作子検出回路４４、表示制御回路４５、駆動回路４６及び鍵表示信号出力回路４７は、バス５０に接続されている。バス５０には、コンピュータ装置５１、記憶装置５２及び通信インターフェース回路５３も接続されている。コンピュータ装置５１は、ＣＰＵ５１ａ、ＲＯＭ５１ｂ及びＲＡＭ５１ｃを有し、光照射装置１０の動作をプログラム制御する。特に、本実施形態においては、演奏データを楽曲の進行に応じて読み出して、光照射装置１０からのレーザー光を照射する白鍵２１ｗ及び黒鍵２１ｂを指定する。記憶装置５２は、フラッシュメモリ、ＣＤ（コンパクトディスク）などの記録媒体と、前記記録媒体をドライブするドライブ回路とを有し、種々のプログラム及び前記楽曲に対応した演奏データを記憶している。通信インターフェース回路５３は、ＭＩＤＩインターフェース回路、インターネット接続回路などからなり、外部装置との通信を行う。特に、前記通信により種々のプログラム及び演奏データを外部から入手することができる。
【００３２】
次に、上記のように構成した光照射装置１０の使用及び動作について説明する。まず、演奏者は、操作子４２を操作して、記憶装置５２に演奏データ（ＭＩＤＩデータ）が記憶されている楽曲のうちから所望の楽曲を選択する。所望の楽曲に関する演奏データが記憶装置５２に記憶されていない場合には、所望の楽曲に関する演奏データが記憶されているフラッシュメモリ、ＣＤなどを記憶装置５２としてセットすることも可能であるし、外部から通信インターフェース回路５３を介して所望の楽曲に関する演奏データを取得して記憶装置５２に記憶することも可能である。次に、演奏者は、レーザー光の出射開始（すなわち楽曲の再生開始）を指示する。
【００３３】
このレーザー光の出射開始の指示により、コンピュータ装置５１は、駆動回路４６に駆動信号を発生させる。この駆動信号は、電気配線１２ｄを介して、レーザー光出射器１２内のレーザー光源１２ａに供給され、レーザー光源１２ａがレーザー光を出射し始める。この出射されたレーザー光はコリメータレンズ１２ｂにより平行光に変換されて、光学素子１２ｃに供給される。そして、光学素子１２ｃが、前記平行光に変換されたレーザー光を水平面内の形状を前後方向の幅が狭くかつ左右方向の幅が極めて広い長方形状とするレーザー光ＬＬに変換し、レーザー光出射器１２は前記変換されたレーザー光ＬＬを透過型液晶装置１３に出射する。
【００３４】
また、前記レーザー光の出射開始の指示により、コンピュータ装置５１は、前記選択された楽曲の演奏データ（ＭＩＤＩデータ）を楽曲の進行に応じて再生し始めて、演奏データを鍵表示信号出力回路４７に供給する。鍵表示信号出力回路４７は、前記再生した演奏データに対応した鍵表示信号を、図示しない電気配線を介して液晶制御回路ユニット１６に供給する。この鍵表示信号は、再生した演奏データに対応した白鍵２１ｗ及び黒鍵２１ｂの音名を表している。液晶制御回路ユニット１６は、供給された鍵表示信号を用いて、前記再生した演奏データによって指定される白鍵２１ｗ又は黒鍵２１ｂに対応した透過型液晶セグメント１３ｂ，１３ｃに制御電圧を印加する。これより、制御電圧の印加された透過型液晶セグメント１３ｂ，１３ｃは、非透過状態から透過状態に切り換えられて、照射されているレーザー光ＬＬの一部を透過させる。そして、透過されたレーザー光は、ケース１１の開口部１１ａ２を介して光照射装置１０から出射され、白鍵２１ｗの上面に照射される。レーザー光の照射位置に関しては、図４（Ｂ）の照射領域ＬＡｗ、ＬＡｂを用いて説明したとおりである。
【００３５】
このような押鍵すべき白鍵２１ｗ及び黒鍵２１ｂに関する白鍵２１ｗへのレーザー光の照射、すなわち視認させる白鍵２１ｗ及び黒鍵２１ｂに関する白鍵２１ｗへのレーザー光の照射は、演奏者による鍵盤演奏をガイドする。演奏者は、この演奏ガイドに従って、鍵盤（白鍵２１ｗ又は黒鍵２１ｂ）を押離鍵操作すれば、電子ピアノ２０は、演奏者による演奏に応じた楽音信号（ピアノ音）を発音する。
【００３６】
なお、本実施形態では、押鍵されるべき白鍵２１ｗ及び黒鍵２１ｂが、演奏者の演奏とは無関係に、演奏データを楽曲の進行に応じてレーザー光によって順次表示される。しかし、これに代えて、読み出された演奏データにより表される白鍵２１ｗ又は黒鍵２１ｂと、演奏者が演奏した白鍵２１ｗ又は黒鍵２１ｂとが一致するまで、次の白鍵２１ｗ又は黒鍵２１ｂにレーザー光が照射されないようにすることもできる。この場合、演奏者によって押鍵された白鍵２１ｗ又は黒鍵２１ｂを表わす演奏データ（キーデータ）を、電子ピアノ２０から光照射制御ユニット４０の鍵表示信号出力回路４７に供給するようにする。そして、鍵表示信号出力回路４７が、記憶装置５２から読み出された押鍵すべき白鍵２１ｗ又は黒鍵２１ｂを表わす演奏データと、電子ピアノ２０から供給された演奏データとを比較する。そして、鍵表示信号出力回路４７は、前記両演奏データが一致するときには、コンピュータ装置５１に演奏データの読出しを続けさせる。前記両演奏データが一致しない場合には、鍵表示信号出力回路４７は、コンピュータ装置５１に次の演奏データの読出しを中断させて、前記両演奏データが一致する白鍵２１ｗ又は黒鍵２１ｂの押鍵を待って、コンピュータ装置５１に次の演奏データの読出しを再開させる。このような白鍵２１ｗ及び黒鍵２１ｂへのレーザー光の照射モードも採用すれば、演奏者は、操作子４２を用いて、光照射装置１０による白鍵２１ｗ及び黒鍵２１ｂへのレーザー光の照射モードを選択することになる。
【００３７】
また、前述したレーザー光の照射モードに加え、例えば、楽曲の進行とは無関係に、初心者に対しては、押鍵すべき白鍵２１ｗ又は黒鍵２１ｂの音名を表示器４３に表示したり、押鍵すべき白鍵２１ｗ又は黒鍵２１ｂの音名に対応した楽音信号を図示しない発音装置から発生させたりするとともに、前記音名に対応した白鍵２１ｗ又は黒鍵２１ｂにレーザー光を照射させるようにしてもよい。これによれば、鍵盤における白鍵２１ｗ又は黒鍵２１ｂと前記音名との対応関係が学習されるようにもなる。このような光照射装置１０の利用も、操作子４２を用いた、光照射装置１０による白鍵２１ｗ及び黒鍵２１ｂへのレーザー光の照射モードの選択の一つとなる。
【００３８】
上記のように構成されるとともに動作する光照射装置１０においては、白鍵２１ｗを視認させる場合でも、黒鍵２１ｂを視認させる場合でも、白鍵２１ｗの上面部の一部にレーザー光を照射して、白鍵２１ｗの上面部の一部を明るくするようにした。したがって、黒鍵２１ｂを白鍵２１ｗと同様に視認し易くすることができる。特に、白鍵２１ｗを視認させるためには、レーザー光は、白鍵２１ｗの上面部であって、黒鍵２１ｂの前端よりも前方かつ白鍵２１ｗの左右方向の中央部分に上方から照射される。また、黒鍵２１ｂを視認させるためには、レーザー光は、白鍵２１ｗにおける黒鍵２１ｂの前端部周りの上面部に上方から照射される。したがって、押鍵すべき白鍵２１ｗ及び黒鍵２１ｂを簡単に区別して視認できる。なお、黒鍵２１ｂは白鍵２１ｗよりも上方に突出しているため、鍵盤の左右端（低音側及び高音側）へ近づくに従って、黒鍵２１ｂ用の照射光は黒鍵２１ｂに遮蔽される部分が増えてくる。しかし、黒鍵２１ｂの前端部は、上面から前方に傾斜した形状をしているため、遮蔽されない部分もある程度確保される。したがって、実用上は、遮蔽による影響はそれほど大きくない。
【００３９】
また、上記第１実施形態においては、レーザー光ＬＬを出射するレーザー光出射器１２と、複数の透過型液晶セグメント１３ｂ，１３ｃを組み込んだ透過型液晶装置１３とにより、白鍵２１ｗに照射するレーザー光を出射させ、かつこれらのレーザー光出射器１２及び透過型液晶装置１３をケース１１に組み込んで光照射装置１０を構成した。これにより、上記第１実施形態によれば、光照射装置１０をシンプルかつコンパクトに構成できる。
【００４０】
なお、上記第1実施形態に係る光照射装置１０は、種々に変形可能である。この変形例について説明すると、上記第１実施形態においては、光照射装置１０に、白鍵２１ｗ及び黒鍵２１ｂに共通な１つずつのレーザー光出射器１２及び透過型液晶装置１３を設けた。しかし、これに代えて、図６に示すように、光照射装置１０に、白鍵２１ｗ用及び黒鍵２１ｂ用の２つずつのレーザー光出射器１２Ａ、１２Ｂ及び透過型液晶装置１３Ａ，１３Ｂを設けるようにしてもよい。
【００４１】
この場合、光照射装置１０のケース１１は、前後方向の長さが上記実施形態の場合に比べて若干長く構成されており、上記第１実施形態の１つの円筒部１１ｂ１と同様な２つの円筒部１１ｂ１，１１ｂ１が前後位置を異ならせて設けられている。そして、白鍵２１ｗ用及び黒鍵２１ｂ用の２つずつのレーザー光出射器１２Ａ、１２Ｂが円筒部１１ｂ１、１１ｂ１にそれぞれ組み込まれる。白鍵２１ｗ用のレーザー光出射器１２Ａは、黒鍵２１ｂ用のレーザー光出射器１２Ｂよりも前方に位置する。この場合、前側の円筒部１１ｂ１は、後側の円筒部１１ｂ１に対して平行ではなく、下方に向かうに従って後側の円筒部１１ｂ１に対して若干前方に傾いている。そして、前側の円筒部１１ｂ１に組み込まれた白鍵２１ｗ用のレーザー光出射器１２Ａは、後側の円筒部１１ｂ１に組み込まれた黒鍵２１ｂ用のレーザー光出射器１２Ｂに対して、下方に向かうに従って若干前方に傾いている。このような傾きは、視認される白鍵２１ｗに関するレーザー光の照射位置が、視認される黒鍵２１ｂに関するレーザー光の照射位置よりも前方に位置するためである。
【００４２】
また、レーザー光出射器１２Ａ，１２Ｂは、上記第１実施形態のレーザー光源１２ａ、コリメータレンズ１２ｂ及び光学素子１２ｃと同様なレーザー光源１２Ａａ，１２Ｂａ、コリメータレンズ１２Ａｂ，１２Ｂｂ及び光学素子１２Ａｃ，１２Ｂｃをそれぞれ有する。レーザー光出射器１２Ａ，１２Ｂは、上記第１実施形態の場合と同様に、水平面内の形状を前後方向の幅が狭くかつ左右方向の幅が極めて広い長方形状とするレーザー光ＬＬを透過型液晶装置１３Ａ，１３Ｂにそれぞれ出射する。ただし、出射されるレーザー光ＬＬの前後方向の幅は、上記第１実施形態の場合よりも短い。また、この場合、レーザー光源１２Ａａは緑色のレーザー光を出射し、レーザー光源１２Ｂａは赤色のレーザー光を出射する。しかし、レーザー光源１２Ａａ，１２Ｂａが異なる色のレーザー光を出射するならば、他の色のレーザー光をそれぞれ出射するようにしてもよい。また、白鍵２１ｗ用及び黒鍵２１ｂ用のレーザー光出射器１２Ａ，１２Ｂには、レーザー光源１２Ａａ，１２Ｂａをそれぞれ駆動するための上記第１実施形態の電気配線１２ｄと同様な電気配線１２Ａｄ，１２Ｂｄがケース内に侵入している。レーザー光出射器１２Ａ，１２Ｂの他の構成は、上記第１実施形態のレーザー光出射器１２と同じである。
【００４３】
ケース１１の突出部１１ａ１には、前後方向の中央部にて突出部１１ａ１の左右部分を連結する平板状の連結部１１ａ３が設けられており、突出部１１ａ１と連結部１１ａ３の各間に、上記第１実施形態の１つの開口部１１ａ２と同様な２つの開口部１１ａ２，１１ａ２がそれぞれ形成されている。２つの開口部１１ａ２，１１ａ２の位置は、レーザー光出射器１２Ａ，１２Ｂからそれぞれ出射されるレーザー光ＬＬ，ＬＬが照射される位置である。そして、これらの開口部１１ａ２，１１ａ２の上側に、白鍵２１ｗ及び黒鍵２１ｂをそれぞれ視認させる透過型液晶装置１３Ａ，１３Ｂが、それぞれ配置されて突出部１１ａ１と連結部１１ａ３上に載置固定されている。
【００４４】
この場合、透過型液晶装置１３Ａ，１３Ｂの形状は上記第１実施形態の透過型液晶装置１３と同じであるが、前後方向の幅は透過型液晶装置１３の前後方向の幅よりも短い。そして、白鍵２１ｗを視認させる透過型液晶装置１３Ａには上記第１実施形態の透過型液晶セグメント１３ｂと同様な透過型液晶セグメントを設ける。また、黒鍵２１ｂを視認させる透過型液晶装置１３Ｂには上記第１実施形態の透過型液晶セグメント１３ｃと同様な透過型液晶セグメントを設ける。なお、透過型液晶装置１３Ａ，１３Ｂを共通の透過型液晶装置とするために、白鍵２１ｗ用及び黒鍵２１ｂ用の透過型液晶セグメント１３ｂ，１３ｃを有する上記第1実施形態の透過型液晶装置１３と同じ透過型液晶装置を用いることもできる。
【００４５】
また、ケース１１内には、液晶制御回路ユニット１６も組み込まれており、透過型液晶装置１３Ａ，１３Ｂの各透過型液晶セグメントは、上記第１実施形態の場合と同様に、液晶制御回路ユニット１６により、非透過状態及び透過状態にそれぞれ制御される。そして、液晶制御回路ユニット１６は、上記第１実施形態の場合と同様に、図示しない電気配線を介して鍵表示信号出力回路４７に接続されている。他の構成は、上記第１実施形態の場合と同じである。
【００４６】
このように構成した変形例においては、レーザー光出射器１２Ａから出射されたレーザー光ＬＬの一部が、透過型液晶装置１３Ａの透過状態にある透過型液晶セグメントを介して白鍵２１ｗの上面前部に照射される。また、レーザー光出射器１２Ｂから出射されたレーザー光ＬＬの一部が、透過型液晶装置１３Ｂの透過状態にある透過型液晶セグメントを介して黒鍵２１ｂ周りの白鍵２１ｗの上面部に照射される。この白鍵２１ｗに対するレーザー光の照射に関して、図４（Ｂ）に示す上記第１実施形態の場合と同じである。
【００４７】
このように構成されるとともに動作する変形例に係る光照射装置１０においては、白鍵２１ｗを視認させるために白鍵２１ｗに照射されるレーザー光の色は、黒鍵２１ｂを視認させるために白鍵２１ｗに照射されるレーザー光の色とは異なり、押鍵すべき白鍵２１ｗ及び黒鍵２１ｂをより認識し易くなる。
【００４８】
また、上記第１実施形態の１つずつのレーザー光出射器１２及び透過型液晶装置１３を用いる場合でも、上記変形例のように、白鍵２１ｗを視認させるレーザー光の色と黒鍵２１ｂを視認させるレーザー光の色を異ならせることができる。例えば、透過型液晶装置１３における白鍵２１ｗ用の透過型液晶セグメント１３ｂの色と黒鍵２１ｂ用の透過型液晶セグメント１３ｃの色とを異ならせて、白鍵２１ｗ用の透過型液晶セグメント１３ｂを透過するレーザー光の色と黒鍵２１ｂ用の透過型液晶セグメント１３ｃを透過するレーザー光の色とを異ならせる。また、透過型液晶装置１３を２色にしなくても、透過型液晶装置１３とは別に、透過するレーザー光の色を異ならせる透過部材を白鍵２１ｗ用又は黒鍵２１ｂ用に設けて、前記透過部材により白鍵２１ｗ用のレーザー光の色と黒鍵２１ｂ用のレーザー光の色とを異ならせるようにしてもよい。
【００４９】
また、上記第１実施形態及び変形例においては、黒鍵２１ｂを視認させるためのレーザー光も白鍵２１ｗの上面部のみに照射して、図４（Ｂ）に示すように照射領域ＬＡｂが形成されるようにした。しかし、これに代えて、黒鍵２１ｂを視認させるためのレーザー光が黒鍵２１ｂの前端部上面にも照射されるようにして、図７（Ａ）に示すように照射領域ＬＡｂが白鍵２１ｗの上面部に加えて黒鍵２１ｂの前端部上面にも形成されるようにしてもよい。この場合、黒鍵２１ｂ用の透過型液晶セグメント１３ｃの平面形状を方形状にすればよい。他の構成は、上記第１実施形態と同じである。
【００５０】
また、上記第１実施形態では、図４（Ｂ）に示すように、白鍵２１ｗを視認させるためのレーザー光の照射領域ＬＡｗの平面形状を方形状とするとともに、黒鍵２１ｂを視認させるためのレーザー光の照射領域ＬＡｂの平面形状をコ字状（略Ｕ字状）とした。しかし、これに代えて、図７（Ｂ）に示すように、白鍵２１ｗを視認させるためのレーザー光の照射領域ＬＡｗの平面形状を楕円形状とするとともに、黒鍵２１ｂを視認させるためのレーザー光の照射領域ＬＡｂの平面形状を楕円形状から黒鍵２１ｂの前端部の形状を除く形状としてもよい。この場合、白鍵２１ｗ用及び黒鍵２１ｂ用の透過型液晶セグメント１３ｂ，１３ｃを前記照射領域ＬＡｗ、ＬＡｂに対応させた形状にすればよい。他の構成は、上記第１実施形態と同じである。また、この場合も、前記変形例のように、黒鍵２１ｂの前端部上面にもレーザー光が照射されるようにして、白鍵２１ｗ及び黒鍵２１ｂの上面に楕円形状の照射領域ＬＡｂが形成されるようにしてもよい。さらに、照射領域ＬＡｗ，ＬＡｂの形状を、方形状及び楕円形状以外の円形状、三角形状などの他の形状にしてもよい。
【００５１】
また、上記第１実施形態及び変形例においては、光照射装置１０及び光照射制御ユニット４０を支持装置３０にそれぞれ組み付けて、電子ピアノ２０の外部に配置するようにした。しかし、これに代えて、光照射装置１０及び／又は光照射制御ユニット４０を電子ピアノ２０内に組み込むようにしてもよい。この場合、電子ピアノの筐体のうち、鍵盤によりも高い場所に位置する部分に光照射装置１０を設置し、白鍵２１ｗのレーザー光を照射すべき位置に向けて斜め下方にレーザー光を照射すればよい。
【００５２】
また、上記第１実施形態及び各種変形例においては、光照射装置１０から出射されるレーザー光を白鍵２１ｗの上面部に上方から照射するようにした。しかし、これに代えて、従来技術で説明したように、白鍵２１ｗを光透過部材で構成しておき、光照射装置１０を白鍵２１ｗ及び黒鍵２１ｂの下方に位置させ、光照射装置１０から出射されるレーザー光を白鍵２１ｗの上面部に下方から照射するようにしてもよい。
【００５３】
また、上記第１実施形態及び各種変形例では、方形状、コ字状（略Ｕ字状）、楕円形状などの透過型液晶セグメント１３ｂ，１３ｃを非透光性のプレート部材１３ａに組み込んで、平面視で所定形状のレーザー光を白鍵２１ｗの上面部に照射するようにした。しかし、これに代えて、一般のプロジェクタ装置のように、プレート部材１３ａにレーザー光を透過させる部分にマトリクス状に配置した多数の透過型液晶セグメントを組み込んでおき、プログラム制御により透過型液晶セグメントの透過状態を制御して、平面視で所定の形状のレーザー光を出射させるようにしてもよい。
【００５４】
また、上記第１実施形態及び各種変形例では、レーザー光出射器１２，１２Ａ，１２Ｂからレーザー光ＬＬを出射させるようにしたが、白鍵２１ｗの上面部に視認可能な光が照射されるならば、レーザー光源１２ａに代わる他の光源を用いて、前記他の光源からの光が白鍵２１ｗの上面部に照射されるようにしてもよい。
【００５５】
さらに、上記第１実施形態及び各種変形例では、レーザー光出射器１２，１２Ａ，１２Ｂから下方に向かうに従って広がる光（レーザー光ＬＬ）の一部を、透過型液晶装置１３，１３Ａ，１３Ｂを透過させて、白鍵２１ｗ及び黒鍵２１ｂの上面部に照射するようにした。しかし、これに代えて、先行技術の項で説明した特許文献１，２に記載されている複数の白鍵２１ｗ及び黒鍵２１ｂにそれぞれ対応した複数の発光素子（例えば、ＬＥＤ）を鍵盤の上方又は下方に設けておき、各発光素子の点灯及び消灯を制御することにより、発光素子からの光を白鍵２１ｗの上面部に上方又は下方から照射して、白鍵２１ｗの上面部を明るくするようにしてもよい。この場合も、白鍵２１ｗの上面部には、上記第１実施形態及び各種変形例と同様な平面形状を有する白鍵２１ｗ用及び黒鍵２１ｂ用の光が照射されるように、各発光素子からの光の通路に所定形状の光の通路を有する光透過器を設けておく。また、この場合には、白鍵２１ｗに対応した発光素子が発光する光の色と、黒鍵２１ｂに対応した発光素子が発光する光の色とを、上述した変形例のように異ならせておくとよい。
【００５６】
ｂ．第２実施形態
次に、本発明の第２実施形態に係る鍵視認装置について図面を用いて説明する。この鍵視認装置は、押鍵すべき白鍵２１ｗ及び黒鍵２１ｂを視認させるために、白鍵２１ｗ上に載置されるガイドランプシート装置６０を用いている。図８（Ａ）はガイドランプシート装置６０を示す平面図であり、図８（Ｂ）はガイドランプシート装置６０を複数の白鍵２１ｗ上に載置した状態を示している。なお、図８（Ａ），（Ｂ）においては、ガイドランプシート装置６０及び鍵盤の中間位置を省略して示している。図９（Ａ）は図８（Ａ）の２点鎖線ＩＸで囲んだ部分の拡大図であり、図９（Ｂ）は図９（Ａ）のｂ−ｂ線に沿って見た断面図であり、図９（Ｃ）は図９（Ａ）のｃ−ｃ線に沿って見た断面図である。このガイドランプシート装置６０は、シート部材（透過部材）６１及び電気回路基板６２を備えている。
【００５７】
シート部材６１は、非透光性の樹脂材料で、左右方向に長い長方形状かつ薄肉状に構成され、後述する仕切り部材６４を介して電気回路基板６２上に組み付け固定されている。シート部材６１の左右方向の長さは、鍵盤の左右方向の長さ、すなわち最低音に対応した白鍵２１ｗの左端から最高音に対応した白鍵２１ｗの右端までの長さにほぼ等しい。シート部材６１の前後方向の長さは黒鍵２１ｂの前端部の前後方向の長さよりも多少長く、シート部材６１は前後方向に所定幅を有する。シート部材６１の後端部には、複数の黒鍵２１ｂにそれぞれ対応する位置に、黒鍵２１ｂの左右方向の幅よりも僅かに大きな幅を有する方形状の複数の凹部（切欠き）６１ａが後方を開放させて形成されている。これにより、複数の凹部６１ａに複数の黒鍵２１ｂをそれぞれ後方から侵入させた状態では、シート部材６１の後端は黒鍵２１ｂの前端よりも所定距離だけ後方に位置し、その前端は黒鍵２１ｂの前端よりも所定距離だけ前方に位置する。
【００５８】
シート部材６１の凹部６１ａの前端よりも前部分には、白鍵２１ｗの数に等しい数の白鍵２１ｗ用の窓６１ｂが左右方向に一列に配置されている。シート部材６１の凹部６１ａ周りの部分には、黒鍵２１ｂの数に等しい数の黒鍵２１用の窓６１ｃが左右方向に一列に配置されている。これらの窓６１ｂ，６１ｃは透光性樹脂材料で構成されて、シート部材６１を貫通して組み込まれている。白鍵２１ｗ用の窓６１ｂは、平面視で方形状（正方形状又は長方形状）に形成され、前後の２辺を左右方向に延設させている。そして、白鍵２１ｗ用の窓６１ｂは、ガイドランプシート装置６０を凹部６１ａに黒鍵２１ｂの前端部を侵入させて白鍵２１ｗ上に載置した状態で、白鍵２１ｗの上面前部（幅広部）の左右方向の中央に位置する。
【００５９】
黒鍵２１ｂ用の窓６１ｃは、横方向に延びた所定幅の横直線部分と、横直線部分の両端から直角に後方に延びた所定幅の一対の縦直線部分とを有する平面視でコ字状（略Ｕ字状）である。横直線部分は、凹部６１ａの左右幅より若干長く、凹部６１ａの前端よりも若干前側に位置する。一対の縦直線部分の後端は、凹部６１ａの後端よりも若干前側に位置している。なお、窓６１ｂ，６１ｃを透光性樹脂材料で構成しなくても、シート部材６１の上下面を貫通する空間で構成してもよい。
【００６０】
電気回路基板６２は、凹部６１ａと同様な凹部を有してシート部材６１と同一の平面形状に、合成樹脂により薄板状に成型されている。電気回路基板６２の上面には、白鍵２１ｗ用の複数の発光素子６３ａ及び黒鍵２１ｂ用の複数の発光素子６３ｂがそれぞれ組み付けられている。発光素子６３ａ，６３ｂは、この第２実施形態ではＬＥＤで構成されているが、他の発光素子を用いることもできる。白鍵２１ｗ用の発光素子６３ａは、緑色の光を上方に出射するもので、白鍵２１ｗ用の窓６１ｂの下方にて窓６１ｂの中央に位置する。黒鍵２１ｂ用の発光素子６３ｂは、赤色の光を上方に出射するもので、黒鍵２１ｂ用の窓６１ｂの下方にて窓６１ｃの横直線部分における左右方向の中央であって前後方向の若干手前側にする。なお、発光素子６３ａ，６３ｂはそれぞれ異なる色の光を出射するものであれば、緑色及び赤色以外の光を出射するものでもよい。また、電気回路基板６２には、発光素子６３ａ，６３ｂの点灯及び非点灯を制御するために、発光素子６３ａ，６３ｂに対して電気制御信号を出力する電気回路装置が設けられているとともに、電気配線も施されている。
【００６１】
シート部材６１と電気回路基板６２との間には、仕切り部材６４が設けられている。この仕切り部材は、非透光性の合成樹脂で成型されており、各発光素子６３ａ，６３ｂを含むとともに、上面にて各窓６１ｂ，６１ｃを包含する各空間をそれぞれ隔離している。なお、この仕切り部材６４は、各内側面における光の反射率を高くする材料を用いるよい。そして、仕切り部材６４の下面は接着剤により電気回路基板６２の上面に密着固定され、仕切り部材６４の上面に接着剤によりシート部材６１の下面を密着固定させている。これにより、発光素子６３ａ，６３ｂから発せられた光は、窓６１ｂ，６１ｃを介して上方に出射される。
【００６２】
このように構成されたガイドランプシート装置６０も、上記第１実施形態の図５に示す光照射制御ユニット４０と同様な制御ユニットに接続され、発光素子６３ａ，６３ｂの発光が制御される。ただし、この変形例の場合には、図５の駆動回路４６に対応した回路はなく、鍵表示信号出力回路４７と同様な電気回路により、発光素子６３ａ，６３ｂの発光が制御される。なお、前記制御ユニットによる発光素子６３ａ，６３ｂの発光に関しても、上記第１実施形態の照射モードの選択、レーザー光の出射開始の指示などと同様な発光モード選択、発光開始などが行われる。
【００６３】
このように構成した変形例においても、上記第１実施形態の場合と同様に、演奏者が、所望の楽曲を選択し、楽曲の再生開始を指示すると、制御ユニットから演奏データに対応した鍵表示信号が電気回路基板６２上に設けた電気回路に出力され、電気回路は発光素子６３ａ，６３ｂの発光を制御する。この制御により、発光素子６３ａ，６３ｂは発光し、発光素子６３ａ，６３ｂの発光による光は窓６１ｂ，６１ｃを透過して、外部すなわちガイドランプシート装置６０の上方に出射される。その結果、白鍵２１ｗ用の緑色の光は、黒鍵２１ｂの前端よりも若干前方の白鍵２１ｗの上面部位置から出射される。また、黒鍵２１ｂ用の赤色の光は、白鍵２１ｗにおける黒鍵２１ｂの前端部周り（すなわち、白鍵２１ｗにおける黒鍵２１ｂの前端よりも前方部分及び黒鍵２１ｂの前端部の左右両側部分）の上面部から出射される。
【００６４】
この白鍵２１ｗの上面部から上方への光の出射により、白鍵２１ｗの視認に関しては視認させる白鍵２１ｗの上面部が明るくされ、かつ黒鍵２１ｂの視認に関しては視認させる黒鍵２１ｂに隣接した白鍵２１ｗにおける黒鍵２１ｂ周りの上面部が明るくされるので、押鍵すべき白鍵２１ｗと黒鍵２１ｂとを簡単に区別して視認できる。また、白鍵２１ｗの上面部上に出射される光の色は、白鍵２１ｗと黒鍵２１ｂの視認用とで異なるので、白鍵２１ｗと黒鍵２１ｂとをより簡単に区別して視認できるようになる。
【００６５】
ｃ．その他の変形例
さらに、上記第１実施形態、第２実施形態及び各種変形例においては、本発明に係る鍵視認装置を電子ピアノに適用したが、本発明に係る鍵視認装置は、鍵盤を有する電子オルガン、シンセサイザなどのような電子鍵盤楽器にも適用可能である。また、本発明に係る鍵視認装置は、自然楽器であるピアノのような電子鍵盤楽器以外の鍵盤楽器にも適用可能である。ただし、これらの場合には、鍵盤楽器の種類によって鍵の数及び幅が種々に異なる。したがって、上記第１実施形態の場合には、透過型液晶装置１３，１３Ａ，１３Ｂの左右方向の長さを機種に合わせて設定するとともに、透過型液晶セグメント１３ｂ，１３ｃの数及び間隔を機種に合わせて設定する必要がある。また、上記第２実施形態においては、シート部材６１の横方向の長さ、シート部材６１の凹部６１ａの数及び横幅、窓６１ｂ，６１ｃの数及び横幅、発光素子６３ａ，６３ｂの数、仕切り部材６４の形状などを機種に合わせて設定する必要がある。
【符号の説明】
【００６６】
１０…光照射装置、１１…ケース、１１ａ２…開口部、１１ｂ１…   円筒部、１１ｂ３…開口部、１２，１２Ａ，１２Ｂ…レーザー光出射器、１３，１３Ａ，１３Ｂ…透過型液晶装置、１３ｂ，１３ｃ…透過型液晶セグメント、１６…液晶制御回路ユニット、２０…電子ピアノ、２１ｗ…白鍵、２１ｂ…黒鍵、３０…支持装置、４０…光照射制御ユニット、４６…駆動回路、４７…鍵表示信号出力回路、５１…コンピュータ装置、６０…ガイドランプシート装置、６１…シート部材、６１ａ…凹部、６１ｂ，６１ｃ…窓、６２…電気回路基板、６３ａ，６３ｂ…発光素子、６４…仕切り部材、ＬＬ…レーザー光、ＬＡｗ、ＬＡｂ…照射領域
【図１】
2017173729.tif 000003
【図２】
2017173729.tif 000004
【図３】
2017173729.tif 000005
【図４】
2017173729.tif 000006
【図５】
2017173729.tif 000007
【図６】
2017173729.tif 000008
【図７】
2017173729.tif 000009
【図８】
2017173729.tif 000010
【図９】
2017173729.tif 000011